(57)【要約】【課題】判別回路と復調回路の共通化で回路削減し、バースト周波数の整数倍にロックしたクロックを生成。【解決手段】固定データ設定回路の出力を固定値に設定し、かつＹＣ分離回路１０２を複合映像信号側に設定する事により方式判別時のクロック変動をなくし、かつ方式判別回路と復調回路を同じ回路にする事ができる。【選択図】  図１
2005020248.tif 000002
【特許請求の範囲】
【請求項１】
アナログ複合映像信号をデジタル化するＡＤ回路と、前記ＡＤ回路からの出力信号を色副搬送波信号と輝度信号とに分離し外部制御信号によって色副搬送波信号分離機能をオン・オフできるＹＣ分離回路と、前記ＹＣ分離回路からの色副搬送波出力信号と後述する正弦波発生回路からの出力信号とを掛け算する掛け算回路と、前記掛け算回路の出力信号から高調波成分を除去する第１のＬＰＦ回路と、前記第１のＬＰＦ回路の出力信号からＲ−Ｙ信号のアイデントを検出するＩＤＥＮＴ検出回路と、前記第１のＬＰＦ回路からの出力信号と前期ＩＤＥＮＴ検出回路からの出力信号とからＲ−Ｙ信号を復調する復調回路と、前記第１のＬＰＦ回路の出力信号からバースト部分のみを取りだしその信号にフィルターをかける第２のＬＰＦ回路と、前記第２のＬＰＦ回路からの出力信号と固定データとを切りかえる固定データ設定回路と、前記固定データ設定回路からの出力信号からクロック信号を生成する電圧制御発振回路と、後述する方式判定回路からの出力信号を入力としのこぎり波信号を出力するカウント回路と、方式判別モードと通常モードを切り替えるモード切り替え入力をもち、方式判別モードでは前記ＹＣ分離回路のＹＣ分離機能をオフ、前記固定データ設定回路を固定データ側にし、前記カウント回路へ出力する信号に応じた期待値と前記ＩＤＥＮＴ検出回路からの入力信号を論理判定し論理的に一致していればその情報を出力し、通常モードでは前記ＹＣ分離回路のＹＣ分離機能をオン、前記固定データ設定回路を前記第２のＬＰＦ回路側にし、前記カウント回路へは入力される複合映像信号に応じたデータを出力する方式判定回路と、前記カウント回路からの出力されるのこぎり波信号から正弦波信号を生成する正弦波発生回路を具備し、回路規模を小さく抑えながら入力される複合映像信号の副搬送波周波数の整数倍クロックを再生する事を特徴とするクロック再生回路。
【請求項２】
前記カウンター回路は入力される信号とディレイ回路からの入力信号とを加算する加算回路と、加算回路からの出力信号を入力し１クロックの期間信号を遅延させるディレイ回路とを具備し、入力される信号の値を変える事により前記正弦波発生回路からの出力信号の周波数を変える事を特徴とする請求項１記載のクロック再生回路。
【請求項３】
前記ＹＣ分離回路は入力された複合映像信号から色副搬送波信号と輝度信号とを分離するコムフィルター回路と、前記コムフィルター回路からの出力信号とＹＣ分離前の複合映像信号とを切りかえる切替回路とを具備し、入力される複合映像信号の方式判別をする際はＹＣ分離機能をオフさせる事を特徴とする請求項１記載のクロック再生回路。
【請求項４】
前記方式判定回路は前記カウンター回路への入力信号を生成するデータ設定回路と、前記データ設定回路の出力データと前記ＩＤＥＮＴ検出回路からの期待値とが論理的に一致しているかどうかを判定すると同時にその結果を出力したり、前記ＹＣ分離回路をオン・オフさせる信号を出力したり、前記固定データ設定回路の出力を切り替える信号を出力したりする論理判定回路を具備し、入力された複合映像信号の方式を判定する事を特徴とする請求項１記載のクロック再生回路。
【発明の詳細な説明】
【０００１】
【発明の属する技術分野】
本発明は、ＮＴＳＣ，ＰＡＬ方式信号のバースト周波数の整数倍にロックしたクロックを生成し、小さな回路にてＮＴＳＣ，ＰＡＬ信号の方式判別を行なう手段を提供するものである。
【０００２】
【従来の技術】
近年、ＰＡＬ信号にて３次元コムフィルターを実現したいという要望があり、それを具現化するためにはＰＡＬ３次元コムフィルターを行なえる整数倍クロック再生回路が必須となっている。
【０００３】
以下、図面を参照しながら、上述した従来のクロック再生回路の一例について説明を行う（例えば、特許文献１参照）。
【０００４】
図５は、従来のクロック再生回路のブロック構成図を示すものである。
【０００５】
図５のブロック構成図において、５０１は入力された複合映像信号５１４をアナログ信号からデジタル化するＡＤ回路であり、５０２はＡＤ回路５０１からの出力信号から色副搬送波信号と輝度信号とに分離するＹＣ分離回路であり、５０３はＹＣ分離回路５０２からの信号と正弦波発生回路５１０からの信号とを掛け算する掛け算回路であり、５０４は掛け算回路５０３の出力信号から色副搬送波信号の２倍の周波数成分を除去するＬＰＦ回路であり、５０６はＬＰＦ回路５０４の出力信号からＰＡＬなどに含まれるＩＤＥＮＴ信号を検出してそれらの方式を判別するＩＤＥＮＴ検出回路であり、５０５はＬＰＦ回路５０４の出力信号からＩＤＥＮＴ検出回路５０６のＩＤＥＮＴ信号によってＲ−Ｙ信号を復調する復調回路であり、５０７はＬＰＦ回路５０４の出力信号のうちバースト部分のみを取りだしてその信号にフィルターをかけるＬＰＦ回路であり、５０９はＬＰＦ回路５０７の出力信号からクロックを作成する電圧制御発振回路であり、５１１は方式判別回路５５６の信号からのこぎり波信号を出力するカウンター回路であり、その一例としての回路構成は図２に示しており、５１０はカウンター回路５１１から出力されるのこぎり波信号から正弦波を出力する正弦波発生回路であり、５５０はＹＣ分離回路５０２からの信号と正弦波発生回路５５４からの信号とを掛け算する掛け算回路であり、５５１は掛け算回路５５０の出力信号から色副搬送波信号の２倍の周波数成分を除去するＬＰＦ回路であり、５５２はＬＰＦ回路５５１の出力信号のうちバースト部分のみを取りだしてその信号にフィルターをかけるＬＰＦ回路であり、５５３は方式判別回路５５６の出力信号からのこぎり波信号を出力するカウンター回路であり、５５４はカウンター回路５５３から出力されるのこぎり波信号から正弦波を出力する正弦波発生回路であり、５５５はＬＰＦ回路５５１の出力信号からＰＡＬなどに含まれるＩＤＥＮＴ信号を検出してそれらの検出結果を出力するＩＤＥＮＴ検出回路であり、５５６はＩＤＥＮＴ検出回路５５５からのＩＤＥＮＴ検出結果と期待値とが一致しているかどうかを論理的に判定したり、入力される複合映像信号に応じて前記カウンター回路５１１に出力信号を出力する方式判定回路であり、５１４は入力された複合映像信号であり、５１５はカウンター回路５１１から出力されるのこぎり波信号であり、５１６は正弦波発生回路５１０から出力される正弦波信号であり、５１７は電圧制御発振回路５０９から出力され、色副搬送波の周波数の整数倍にロックしたクロックであり、５１８は復調回路５０５から出力されるＲ−Ｙ信号であり、５１９はＬＰＦ回路５０４から出力される色副搬送波除去後の信号であり、５２０は方式判別回路５５６からの判別結果である。
【０００６】
以上のように構成されたクロック再生回路について、以下その動作について説明する。
【０００７】
まず、ＡＤ回路５０１の出力信号から色副搬送波信号をＹＣ分離回路５０２によって分離し、その色副搬送波信号を掛け算回路５０３に入力する。
【０００８】
正弦波発生回路５１０からは色副搬送波と同じ周波数を持つ正弦波を出力するため、掛け算回路５０３からは色副搬送波周波数の２倍の信号成分をもつ信号が出力される。
【０００９】
ＬＰＦ回路５０４は２倍の高調波成分を除去する為、その出力信号はＮＴＳＣならＲ−Ｙ信号そのものが出力されるが、ＰＡＬ信号は図９（ａ）にあるようにＲ−Ｙ信号成分が１Ｈ毎に反転しているような信号が出力される。
【００１０】
ちなみにＢ−Ｙ信号は正弦波発生回路５１０より９０度位相のずれた余弦波信号を出力し、その余弦波信号と色副搬送波信号とを掛け算し、高調波成分を除去することで得られるが、本発明はクロック再生を行なう回路について記している為、Ｂ−Ｙ信号生成回路についての記載は省略する。
【００１１】
ＩＤＥＮＴ検出回路５０６は図９（ａ）の性質を利用し、入力される信号の方式がＰＡＬなのかＮＴＳＣなのかを検出し、その検出されたＩＤＥＮＴを使って復調回路５０５はＲ−Ｙ信号の位相を合わせるように動作する。
【００１２】
ＬＰＦ回路５０７は色副搬送波信号のバースト部分のみを取り出し、その信号成分にロ‐パスフィルターをかけ、掛け算回路５０３、ＬＰＦ回路５０４、ＬＰＦ回路５０７、電圧制御発振回路５０９、カウンター回路５１１、正弦波発生回路５１０によって構成されるループ回路により、色副搬送波信号の副搬送波周波数と正弦波信号５１６との周波数を一致させるように動作する。
【００１３】
電圧制御発振回路５０９は図７にて示されているような回路構成であり、７０１は加算回路、７０２はディレイ回路、７０３はのこぎり波信号（図８（ａ））から正弦波信号（図８（ｂ））を生成する正弦波発生回路、７０４はデジタル信号をアナログ信号に変換するＤＡ回路、７０５は入力された正弦波をてい倍するアナログＰＬＬ回路であり、そのてい倍後の信号は図８（ｃ）に示してある。
【００１４】
ＬＰＦ回路５０７からの出力信号が加算回路７０１に入力され、その信号の大きさによってのこぎり波７１１の周波数が決定される。そののこぎり波７１１を正弦波発生回路７０３に入力する事で図８（ｂ）に示すような正弦波が作られ、それをアナログ信号に変換した後の波形が正弦波信号７１２になる。
【００１５】
正弦波信号７１２をてい倍する事でクロック信号５１７（クロック信号７１３）を得る事ができる。
【００１６】
カウンター回路５１１の一例は図２に示してあり、その動作は図６に示してあるが、入力信号が小さいときは図６（ａ）、大きいときは図６（Ｃ）のように出力されるのこぎり波信号の周波数が変化する。
【００１７】
正弦波発生回路５１０からの正弦波信号は図６（ｂ）、（ｄ）に示すようにカウンター回路５１１から入力されるのこぎり波信号５１５の周波数に応じてその周波数が変わる。
【００１８】
方式判別回路５５６はカウンター回路５１１に出力する信号とＩＤＥＮＴ検出回路５５６からの期待値とを比較し、論理的に一致しているならその情報を出力するように動作する。
【００１９】
そして、入力された複合映像信号５１４の方式判別するためには掛け算回路５５０、ＬＰＦ回路５５１、ＬＰＦ回路５５２、カウンター回路５５３、正弦波発生回路５５４によって構成されるループ回路を使う事になる。
【００２０】
例えば入力された複合映像信号の方式を検出するために、まず方式判別回路５５６からＮＴＳＣに相当するデータをカウンター５５３に入力すると（カウンター回路５１１への信号はある一つ値に固定しておく）、正弦波発生回路５５４からはＮＴＳＣを復調する為の正弦波信号が出力される。
【００２１】
もし入力された複合映像信号５１４がＮＴＳＣならば、ＩＤＥＮＴ検出回路５５５からはＮＴＳＣであるという情報が方式判別回路５５６に出力される。
【００２２】
その結果、ＩＤＥＮＴ検出回路５５６からの結果と期待値とが一致することになり、入力された複合映像信号５１４がＮＴＳＣ信号であるいう判別結果５２０を出力する。
【００２３】
もし入力された信号がＰＡＬならば、ＩＤＥＮＴ検出回路５５５からはＮＴＳＣでは無いという情報が方式判別回路５５６に出力され、その判別結果５２０は入力された複合映像信号５１４がＮＴＳＣ信号でないと出力し、次にＰＡＬに相当するデータをカウンター５５３に入力する。
【００２４】
そうするとＩＤＥＮＴ検出回路５５５からはＰＡＬであるという情報が方式判別回路５５６に出力され、入力された複合映像信号５１４がＰＡＬ信号であるという判別結果５２０を出力する。
【００２５】
このように方式判別回路５５６がＮＴＳＣ、ＰＡＬ信号に相当する設定データをカウンター回路５５３に出力し、その結果（ＩＤＥＮＴ検出回路の結果）と期待値とが一致しているかどうかを見る事で入力された複合映像信号５１４がＮＴＳＣかＰＡＬかを判別するできるようになっている。
【００２６】
【特許文献１】
特開平８−１００３８７号公報
【００２７】
【発明が解決しようとする課題】
しかしながら上記のような構成では、次のような問題点を有している。
【００２８】
入力された複合映像信号５１４の復調を行う為には掛け算回路５０３、ＬＰＦ回路５０４、ＬＰＦ回路５０７、電圧制御発振回路５０９、カウンター回路５１１、正弦波発生回路５１０によって構成されるループ回路を使用し、方式を判別する為には掛け算回路５５０、ＬＰＦ回路５５１、ＬＰＦ回路５５２、カウンター回路５５３、正弦波発生回路５５４にて構成されたループ回路を使用する必要があるため、回路規模が大きくなるという問題を有していた。
【００２９】
【課題を解決するための手段】
上記問題点を解決するために本発明のクロック再生回路は、アナログ複合映像信号をデジタル化するＡＤ回路と、前記ＡＤ回路からの出力信号を色副搬送波信号と輝度信号とに分離し外部制御信号によって色副搬送波信号分離機能をオン・オフできるＹＣ分離回路と、前記ＹＣ分離回路からの色副搬送波出力信号と後述する正弦波発生回路からの出力信号とを掛け算する掛け算回路と、前記掛け算回路の出力信号から高調波成分を除去する第１のＬＰＦ回路と、前記第１のＬＰＦ回路の出力信号からＲ−Ｙ信号のアイデントを検出するＩＤＥＮＴ検出回路と、前記第１のＬＰＦ回路からの出力信号と前期ＩＤＥＮＴ検出回路からの出力信号とからＲ−Ｙ信号を復調する復調回路と、前記第１のＬＰＦ回路の出力信号からバースト部分のみを取りだしその信号にフィルターをかける第２のＬＰＦ回路と、前記第２のＬＰＦ回路からの出力信号と固定データとを切りかえる固定データ設定回路と、前記固定データ設定回路からの出力信号からクロック信号を生成する電圧制御発振回路と、後述する方式判定回路からの出力信号を入力としのこぎり波信号を出力するカウント回路と、方式判別モードと通常モードを切り替えるモード切り替え入力をもち、方式判別モードでは前記ＹＣ分離回路のＹＣ分離機能をオフ、前記固定データ設定回路を固定データ側にし、前記カウント回路へ出力する信号に応じた期待値と前記ＩＤＥＮＴ検出回路からの入力信号を論理判定し論理的に一致していればその情報を出力し、通常モードでは前記ＹＣ分離回路のＹＣ分離機能をオン、前記固定データ設定回路を前記第２のＬＰＦ回路側にし、前記カウント回路へは入力される複合映像信号に応じたデータを出力する方式判定回路と、前記カウント回路からの出力されるのこぎり波信号から正弦波信号を生成する正弦波発生回路を備えたものである。
【００３０】
【発明の実施の形態】
本発明の請求項１に記載の発明はアナログ複合映像信号をデジタル化するＡＤ回路と、前記ＡＤ回路からの出力信号を色副搬送波信号と輝度信号とに分離し外部制御信号によって色副搬送波信号分離機能をオン・オフできるＹＣ分離回路と、前記ＹＣ分離回路からの色副搬送波出力信号と後述する正弦波発生回路からの出力信号とを掛け算する掛け算回路と、前記掛け算回路の出力信号から高調波成分を除去する第１のＬＰＦ回路と、前記第１のＬＰＦ回路の出力信号からＲ−Ｙ信号のアイデントを検出するＩＤＥＮＴ検出回路と、前記第１のＬＰＦ回路からの出力信号と前期ＩＤＥＮＴ検出回路からの出力信号とからＲ−Ｙ信号を復調する復調回路と、前記第１のＬＰＦ回路の出力信号からバースト部分のみを取りだしその信号にフィルターをかける第２のＬＰＦ回路と、前記第２のＬＰＦ回路からの出力信号と固定データとを切りかえる固定データ設定回路と、前記固定データ設定回路からの出力信号からクロック信号を生成する電圧制御発振回路と、後述する方式判定回路からの出力信号を入力としのこぎり波信号を出力するカウント回路と、方式判別モードと通常モードを切り替えるモード切り替え入力をもち、方式判別モードでは前記ＹＣ分離回路のＹＣ分離機能をオフ、前記固定データ設定回路を固定データ側にし、前記カウント回路へ出力する信号に応じた期待値と前記ＩＤＥＮＴ検出回路からの入力信号を論理判定し論理的に一致していればその情報を出力し、通常モードでは前記ＹＣ分離回路のＹＣ分離機能をオン、前記固定データ設定回路を前記第２のＬＰＦ回路側にし、前記カウント回路へは入力される複合映像信号に応じたデータを出力する方式判定回路と、前記カウント回路からの出力されるのこぎり波信号から正弦波信号を生成する正弦波発生回路を備え、方式判別用のループ回路と色副搬送波信号の復調ループ回路とを同じ回路にするという作用を有する為、回路規模を小さく抑えかつ方式判別中にクロックが変動する事で、画面が乱れるという問題も解決できる効果を特徴とするクロック再生回路である。
【００３１】
本発明の請求項２に記載の発明はカウンター回路において、入力される信号とディレイ回路からの入力信号とを加算する加算回路と、加算回路からの出力信号を入力し１クロックの期間信号を遅延させるディレイ回路とを備えていることを特徴とするクロック再生回路であり、方式判別用のループ回路と色副搬送波信号の復調ループ回路とを同じ回路にするという作用を有する。
【００３２】
本発明の請求項３に記載の発明はＹＣ分離回路において、入力された複合映像信号から色副搬送波信号と輝度信号とを分離するコムフィルター回路と、前記コムフィルター回路からの出力信号とＹＣ分離前の複合映像信号とを切りかえる切替回路を備えていることを特徴とするクロック再生回路であり、方式判別用のループ回路と色副搬送波信号の復調ループ回路とを同じ回路にするという作用を有する。
【００３３】
本発明の請求項４に記載の発明はカウンター回路への入力信号を生成するデータ設定回路と、前記データ設定回路の出力データと前記ＩＤＥＮＴ検出回路からの期待値とが論理的に一致しているかどうかを判定すると同時にその結果を出力したり、前記ＹＣ分離回路をオン・オフさせる信号を出力したり、前記固定データ設定回路の出力を切り替える信号を出力したりする論理判定回路を備えていることを特徴とするクロック再生回路であり、方式判別用のループ回路と色副搬送波信号の復調回路とを同じ回路にするという作用を有する。
【００３４】
以下本発明の実施の形態について、図面を参照しながら説明する。
【００３５】
（実施の形態１）
図１は本発明の第１の実施例におけるクロック再生回路のブロック構成図を示すものである。図１において、１０１は入力された複合映像信号１１４をアナログ信号からデジタル化するＡＤ回路であり、１０２はＡＤ回路１０１からの出力信号を色副搬送波信号と輝度信号とに分離し外部制御信号によって色副搬送波信号分離機能をオン・オフできるＹＣ分離回路であり、１０３はＹＣ分離回路１０２からの信号と正弦波発生回路１１０からの信号とを掛け算する掛け算回路であり、１０４は掛け算回路１０３の出力信号から色副搬送波信号の２倍の周波数成分を除去するＬＰＦ回路であり、１０６はＬＰＦ回路１０４の出力信号からＰＡＬなどに含まれるＩＤＥＮＴ信号を検出してそれらの方式を判別するＩＤＥＮＴ検出回路であり、１０５はＬＰＦ回路１０４の出力信号からＩＤＥＮＴ検出回路１０６からのＩＤＥＮＴ信号によってＲ−Ｙ信号を復調する復調回路であり、１０７はＬＰＦ回路１０４の出力信号のうちバースト部分のみを取りだしてその信号にフィルターをかけるＬＰＦ回路であり、１０８はＬＰＦ回路１０７からの出力信号と固定値をと切り替える固定データ設定回路であり、１０９は固定データ設定回路１０８の出力信号からクロックを作成する電圧制御発振回路であり、１１１は方式判別回路１１２の信号よりのこぎり波信号を出力するカウンター回路であり、１１０はカウンター回路１１１から出力されるのこぎり波信号を入力信号とし、正弦波を出力する正弦波発生回路であり、１１２はＩＤＥＮＴ検出回路１０６からのＩＤＥＮＴ検出結果と期待値とが一致しているかどうかを論理的に判定すると同時に固定データ設定回路１０８、ＹＣ分離回路１０２のモードを設定したり、カウンター回路１１１に各方式に応じた信号を出力する方式判定回路であり、１１３は方式判別回路１１２からの判別結果であり、１１４は入力された複合映像信号であり、１１５は方式判別回路１１２から出力される各モードに応じたデータ設定値であり、１１６はカウンター回路１１１から出力されるのこぎり波信号であり、１１７は正弦波発生回路１１０から出力される正弦波信号であり、１１８は復調回路１０５から出力されるＲ−Ｙ信号である。
【００３６】
以上のように構成されたクロック再生回路について、以下図１、２、３、６、７、８、９を用いてその動作を説明する。
【００３７】
まず、ＡＤ回路１０１の出力信号から色副搬送波信号をＹＣ分離回路１０２によって分離するが、ＹＣ分離回路１０２の具体的な構成は図３に示す。
【００３８】
３０１、３０２は１水平期間信号を遅延させるディレイ回路であり、３０３は１Ｈディレイ回路３０１、３０２からの出力信号を入力としてコムフィルターを構成する演算回路であり、色副搬送波信号を出力する。
【００３９】
３０４は１Ｈディレイ回路３０１から出力される１水平期間遅延された複合映像信号から演算回路３０３の色副搬送波出力信号を引算し、輝度信号を出力する引算回路であり、１Ｈディレイ回路３０１、３０２、演算回路３０３、引算回路３０４によりコムフィルター回路３０６が構成されている。
【００４０】
３０５はコムフィルター３０６の出力信号と入力信号３０７とを切り替える切り替え回路であり、入力信号３０７を選択する場合は入力された複合映像信号１１４の方式判別を行なっているときである。
【００４１】
ＹＣ分離回路１０２から出力する色副搬送波信号と正弦波信号１１７を掛け算回路１０３に入力するが、正弦波発生回路１１０からは色副搬送波と同じ周波数を持つ正弦波を出力するため、掛け算回路１０３からは色副搬送波周波数の２倍の周波数成分をもつ信号が出力される。
【００４２】
ＬＰＦ回路１０４は２倍の高調波成分を除去する為、その出力信号はＮＴＳＣなら色差信号そのものが出力されるが、ＰＡＬ信号は図９（ａ）にあるようにＲ−Ｙ信号成分が１Ｈ毎に反転しているような信号が出力される。
【００４３】
ＩＤＥＮＴ検出回路１０６は図９（ａ）の性質を利用して入力される信号の方式がＰＡＬなのかＮＴＳＣなのかを検出し、その検出されたＩＤＥＮＴを使って復調回路１０５はＲ−Ｙ信号の位相を合わ込むように動作する。
【００４４】
ＬＰＦ回路１０７は色副搬送波信号のバースト部分のみを取り出し、その信号成分にロ‐パスフィルターをかけるが、掛け算回路１０３、ＬＰＦ回路１０４、ＬＰＦ回路１０７、固定データ設定回路１０８、電圧制御発振回路１０９、カウンター回路１１１、正弦波発生回路１１０によって構成されるループ回路により、色副搬送波信号の副搬送波周波数と正弦波信号１１７との周波数を一致させるように動作する。
【００４５】
電圧制御発振回路１０９は図７にて示されているような回路構成であり、７０１は加算回路、７０２はディレイ回路、７０３はのこぎり波信号（図８（ａ））から正弦波信号（図８（ｂ））を生成する正弦波発生回路、７０４はデジタル信号をアナログ信号に変換するＤＡ回路、７０５は入力された正弦波をてい倍するアナログＰＬＬ回路であり、そのてい倍後の信号は図８（ｃ）に示してある。
【００４６】
固定データ設定回路１０８からの出力信号が加算回路７０１に入力され、その信号の大きさによってのこぎり波７１１の周波数が決定される。そののこぎり波７１１を正弦波発生回路７０３に入力する事で図８（ｂ）に示すような正弦波が作られ、それをアナログ信号に変換した後の波形が正弦波信号７１２になる。
【００４７】
正弦波信号７１２をてい倍する事で色副搬送波信号の周波数の整数倍にロックしたクロック信号１１９（クロック信号７１３）を得る事ができる。
【００４８】
カウンター回路１１１の一例は図２に示してあり、その動作は図６に示してあるが、入力信号が小さいときは図６（ａ）、大きいときは図６（Ｃ）のようになり、出力されるのこぎり波信号の周波数が変化する。
【００４９】
正弦波発生回路１１７からの出力信号は図６（ｂ）、（ｄ）に示すようにカウンター回路１１１から入力されるのこぎり波信号１１６の周波数に応じてその周波数が変わる。
【００５０】
図４に示すのは方式判別回路５５６の具体ブロック構成図であり、４０１は入力信号４０３とデータ設定回路４０２の出力信号４０５とが論理上一致しているかどうかを判別する回路であり、４０２はモード設定４０６の状態によって出力する設定値４０５、４０７、４０８を変える。
【００５１】
設定値４０５はカウンター回路１１１に入力し、設定値４０７ＹＣ分離回路１０２に入力し、設定値４０８は固定データ設定回路１０８に入力する。
【００５２】
例えばデータ設定回路４０２からＮＴＳＣに相当するデータ４０５を出力しかつ入力信号１１４にＮＴＳＣが入力されている時の期待値と、入力信号４０３とを論理比較し、一致していたならＮＴＳＣであるという情報（出力信号４０４）を出力するように動作する。
【００５３】
ここで方式判別の手順を説明する。入力された複合映像信号１１４の方式判別のためには、方式判別回路１１２に対してモード設定を方式判別モードに設定する。すると方式判別回路１１２は固定データ設定回路１０８の出力を固定値になるように設定し、かつＹＣ分離回路１０２を複合映像信号側になるように設定し、ＮＴＳＣに相当する設定値１１５をカウンター１１１に入力し、正弦波発生回路１１０からはＮＴＳＣを復調する為の正弦波信号が出力される。
【００５４】
もし入力された複合映像信号１１４がＮＴＳＣならば、ＩＤＥＮＴ検出回路１０６からはＮＴＳＣであるという情報が方式判別回路１１２に出力され、その結果方式判別回路１１２は入力された複合映像信号１１４がＮＴＳＣ信号であると判別する。
【００５５】
もし入力された信号がＰＡＬならば、ＩＤＥＮＴ検出回路１０６からはＮＴＳＣでは無いという情報が方式判別回路１１２に出力され、その結果方式判別回路１１２は入力された複合映像信号１１４がＮＴＳＣ信号でないと判別し、次にＰＡＬに相当する設定値１１５をカウンター１１１に入力する。
【００５６】
ＩＤＥＮＴ検出回路１０６からはＰＡＬであるという情報が方式判別回路１１２に出力され、その結果方式判別回路１１２は入力された複合映像信号１１４がＰＡＬ信号であると判別する。
【００５７】
このように方式判別回路１１２がＮＴＳＣ、ＰＡＬ信号に相当する設定値１１５を時系列に出力し、その結果（ＩＤＥＮＴ検出回路の結果）と期待値とが一致しているかどうかを順次判別する事で送った設定値１１５がＮＴＳＣかＰＡＬかを判別できるようになっている。
【００５８】
この方式判別時には固定データ設定回路１０８が固定値を出力する為、クロック信号１１９の周波数は固定されている。
【００５９】
また、通常モード状態では固定データ設定回路１０８の出力をＬＰＦ回路１０７側になるように設定し、かつＹＣ分離回路１０２をコムフィルター側になるように設定し、判別結果に相当した設定値１１５をカウンター１１１に入力することで、クロック信号１１９は入力された複合映像信号１１４の色副搬送波周波数の整数倍にロックした信号となるように（掛け算回路１０３、ＬＰＦ回路１０４、ＬＰＦ回路１０７、固定データ設定回路１０８、電圧制御発振回路１０９、カウンター回路１１１、正弦波発生回路１１０によって構成される）ループ回路が動作する。
【００６０】
以上のように本実施例によれば、固定データ設定回路の出力を固定値に設定し、かつＹＣ分離回路１０２を複合映像信号側に設定する事により方式判別時のクロック変動をなくし、かつ方式判別用のループ回路と色副搬送波信号の復調ループ回路とを同じ回路にする事ができる。
【００６１】
【発明の効果】
以上のように本発明はＡＤ回路と、ＹＣ分離回路と、掛け算回路と、第１のＬＰＦ回路と、ＩＤＥＮＴ検出回路と、復調回路と、第２のＬＰＦ回路と、固定データ設定回路と、電圧制御発振回路と、カウンター回路と、正弦波発生回路と、方式判定回路とを設けることにより、方式判別時のクロック変動をなくし、かつ方式判別用のループ回路と色副搬送波信号の復調ループ回路とを同じ回路できるため、回路規模削減という効果を得る事ができる。
【図面の簡単な説明】
【図１】本発明の第１の実施例におけるクロック再生回路のブロック図
【図２】本発明の第１の実施例におけるカウンター回路のブロック図
【図３】本発明の第１の実施例におけるＹＣ分離回路のブロック図
【図４】本発明の第１の実施例における方式判別回路のブロック図
【図５】従来のクロック再生回路のブロック図
【図６】正弦波発生回路およびカウンター回路の動作説明図
【図７】本発明の第１の実施例における電圧制御発振回路のブロック図
【図８】本発明の第１の実施例における電圧制御発振回路の動作説明図
【図９】ＮＴＳＣ信号、ＰＡＬ信号の動作説明図
【符号の説明】
１０１  ＡＤ回路
１０２  ＹＣ分離回路
１０３  掛け算回路
１０４  第１のＬＰＦ回路
１０６  ＩＤＥＮＴ検出回路
１０５  復調回路
１０７  第２のＬＰＦ回路
１０８  固定データ設定回路
１０９  電圧制御発振回路
１１１  カウンター回路
１１０  正弦波発生回路
１１２  方式判定回路
１１３  方式判別回路１１２からの方式結果
１１４  入力された複合映像信号
１１５  方式判別回路１１２から設定させる設定値
１１６  カウンター回路１１１から出力されるのこぎり波信号
１１７  正弦波発生回路１１０から出力される正弦波信号
１１８  復調回路１０５から出力されるＲ−Ｙ信号
１１９  クロック信号
【図１】
2005020248.tif 000003
【図２】
2005020248.tif 000004
【図３】
2005020248.tif 000005
【図４】
2005020248.tif 000006
【図５】
2005020248.tif 000007
【図６】
2005020248.tif 000008
【図７】
2005020248.tif 000009
【図８】
2005020248.tif 000010
【図９】
2005020248.tif 000011